(57)【特許請求の範囲】
【請求項１】
複数のウインドウを主表示装置にて表示するデータ処理装置であって、
当該装置の近傍位置に無線データ受信可能な携帯表示端末が存在するか否かを検索する検索手段と、
上記主表示装置において複数のウインドウを開いているか否かを判別する判別手段と、
上記複数のウインドウが開かれており、且つ上記携帯表示端末が近傍位置に存在する場合には、開かれている上記複数のウインドウの内でアクティブでないウインドウを特定し、その特定されたウインドウ内容を上記携帯表示端末に対して送信する送信手段と、
を具備したことを特徴とするデータ処理装置。
【請求項２】
複数のウインドウを主表示装置にて表示するコンピュータに
当該装置の近傍位置に無線データ受信可能な携帯表示端末が存在するか否かを検索する機能と、
上記主表示装置において複数のウインドウを開いているか否かを判別する機能と、
上記複数のウインドウが開かれており、且つ上記携帯表示端末が近傍位置に存在する場合には、開かれている上記複数のウインドウの内でアクティブでないウインドウを特定し、その特定されたウインドウ内容を上記携帯表示端末に対して送信する機能と、
を実現させるためのプログラムを記憶したコンピュータが読み取り可能な記録媒体。
【発明の詳細な説明】
【０００１】
【発明の属する技術分野】
本発明は、複数のウインドウを主表示装置にて表示するデータ処理装置に関する。
【０００２】
【従来の技術】
パーソナルコンピュータ等のデータ処理装置は、複数のアプリケーションソフトを起動して、それぞれの編集画面等をウィンドウとして表示装置上に表示し、切り換え実行できるようにしている。また、バックウィンドウ上で計算等のデータ処理実行中に、主ウィンドウ（アクティブウィンドウ）上で文書編集等のデータ処理を実行する所謂マルチタスクのデータ処理装置も知られている。
【０００３】
【発明が解決しようとする課題】
ところで、このように複数のウィンドウを開いてデータ処理を行う際、あるアプリケーションソフトのウィンドウ内容を確認しながら、別のアプリケーションソフトのウィンドウ上で処理を行いたいというような場合がある。
【０００４】
このような場合には、両ウィンドウが並べて表示できる高解像度の表示装置を使用しているのであれば良いが、そうでない場合には、重ねて表示された両ウィンドウを交互にアクティブな状態とするという操作が必要となる。
【０００５】
一方近年、ＰＤＡ（personal digital assistant）と称される携帯情報端末装置が普及してきている。これは、手帳からノートぐらいの大きさで、ペン入力による手書き文字の認識が可能なコンピュータであり、パーソナルコンピュータ（ＰＣ）等のデータ処理装置との間でデータやり取りを行う機能を有しているものも知られている。
【０００６】
このような携帯情報端末装置は、例えば、通常利用してるデータ処理装置に格納したデータを取り込んで、それを外出先で利用したり、外出先で得た情報を後でデータ処理装置に転送して使用するために、その情報を外出先で入力しておくというのが、主たる用途である。従って、データ処理装置を使用しているときには、この携帯情報端末装置は、机上の片隅にどかしておかれたり、引き出しの中や鞄の中等にしまい込まれて、利用されることはほとんどない。
【０００７】
従って、このような携帯情報端末装置が備える表示部を、データ処理装置のサブ表示装置として利用できれば、上記参照しようとするウィンドウ内容を表示することで、ウィンドウの切換操作を行う必要がなくなることは明らかである。
本発明の課題は、携帯情報端末装置をデータ処理装置の表示端末装置として利用できるようにすることである。
【０００８】
【課題を解決するための手段】
この発明は、複数のウインドウを主表示装置にて表示するデータ処理装置であって、当該装置の近傍位置に無線データ受信可能な携帯表示端末が存在するか否かを検索する検索手段と、上記主表示装置において複数のウインドウを開いているか否かを判別する判別手段と、上記複数のウインドウが開かれており、且つ上記携帯表示端末が近傍位置に存在する場合には、開かれている上記複数のウインドウの内でアクティブでないウインドウを特定し、その特定されたウインドウ内容を上記携帯表示端末に対して送信する送信手段と、を具備したことを特徴とする。
【００１４】
【発明の実施の形態】
以下、本発明の実施の形態を図１の（Ａ）乃至図９の（Ｅ）を参照して説明する。
（第１の実施の形態）
図１の（Ａ）は、本発明の第１の実施の形態にかかるデータ処理装置としてのデスクＰＣ１００と、本発明の第１の実施の形態にかかる携帯表示端末装置としてのＰＤＡ２００とを示す図である。デスクＰＣ１００とＰＤＡ２００との間は、通信回線（ＩｒＤＡ方式の赤外線等による無線回線）３００によりデータの授受が可能となっている。なお、参照番号４００は、ＰＤＡ２００への入力操作用のペンである。
【００１５】
上記デスクＰＣ１００は、図１の（Ｂ）に示すように、当該デスクＰＣ１００全体を制御する制御部としてのＣＰＵ１０１、キーボードやマウス等の入力装置１０２、ＣＲＴや液晶ディスプレィ等の表示装置１０３、プリンタ等の印刷装置１０４、ハードディスクやＲＯＭ等の記憶装置１０５、ＲＡＭ１０６から構成される。ここれら記憶装置１０５やＲＡＭ１０６は、上記ＣＰＵ１０１で実行される当該デスクＰＣ１００の処理プログラムやデータ等が予め記憶されているものであるが、もちろん、このような記憶装置１０５やＲＡＭ１０６に記憶するプログラムやデータ等は、フロッピーディスクや光（磁気）ディスク等の記憶媒体１０７から読み込むようにしても良いし、通信インタフェース１０８により上記通信回線３００を介して接続された他の機器から受信して、これらに記憶するようにしても良い。
【００１６】
また、上記ＲＡＭ１０６（記憶装置１０５でも可）には、図２の（Ｂ）に示すよな端末管理テーブル１０６Ａが記憶される。即ち、この端末管理テーブル１０６Ａは、当該デスクＰＣ１００に接続されたＰＤＡ２００を特定する端末コード、そのＰＤＡ２００の愛称、そのＰＤＡ２００にウィンドウが記憶されているかどうかを示すフラグ、及びそれが記憶されているときにはそのウィンドウの名称、を記憶するものである。
【００１７】
一方、上記ＰＤＡ２００は、単体として、携帯端末としてのＰＩＭ基本機能（カレンダースケジュール、メモ、住所録、等）を基本仕様として持っているが、これに加えて、本実施の形態では、上記デスクＰＣ１００との無線接続により、デスクＰＣ１００のサブ表示端末として機能する。ここで、該ＰＤＡ２００とデスクＰＣ１００との無線接続の仕方としては、当該ＰＤＡ２００をデスクＰＣ１００に近づけることで、デスクＰＣ１００がそのＰＤＡ２００を認識して接続関係を構築するという手法が採られる。
【００１８】
このＰＤＡ２００は、図１の（Ｃ）に示すように、コンピュータ本体２０１、液晶ディスプレィで構成された表示部２０２、該表示部２０２の表示面上に配されたタッチパネル２０３、音声入力（ボイスメモ用）のためのマイクロホン２０４、音声／音楽再生（ボイス再生用）のためのスピーカ２０５、及び上記通信回線３００と接続するための通信インタフェース２０６から構成される。
【００１９】
ここで、コンピュータ本体２０１は、内部メモリ２０１Ａを有し、該内部メモリ２０１Ａに展開されたアプリケーションソフトに従って当該ＰＤＡ２００全体を制御する。この内部メモリ２０１Ａに記憶されるアプリケーションソフトは、ＲＯＭに予め組み込まれているものであっても良いし、通信インタフェース２０６を介して与えられる或いは図示しない記録媒体から読み出したアプリケーションソフトをＲＡＭやＥＥＰＲＯＭ等に記憶するものであっても良い。
【００２０】
また、この内部メモリ２０１Ａには、図２の（Ｂ）に示すように、当該ＰＤＡ２００に固有の端末コード、ユーザが任意に設定した当該ＰＤＡ２００の愛称、表示するウィンドウの名前と内容、及びウィンドウの記憶の有無を示すフラグ、等の各種データを記憶する。
【００２１】
次に、このような構成における動作を説明する。
図３は、本発明の第１の実施の形態にかかるデータ処理装置としてのデスクＰＣ１００における端末チェック処理の動作フローチャートである。このフローチャートに記載した各機能を実現するプログラムは、ＣＰＵ１０１が読み取り可能なプログラムコードの形態でＲＡＭ１０６又は記憶装置１０５に記憶されている（以下、同じ）。
【００２２】
即ち、デスクＰＣ１００のＣＰＵ１０１は、定期的にこの端末チェック処理を開始し、まず、端末管理テーブル１０６Ａに何れかの携帯表示端末装置としてのＰＤＡ２００が登録されているかどうか判断する（ステップＳ１００）。そして、登録されたＰＤＡ２００が無い場合には、通信インタフェース１０８より端末サーチ信号を送信する（ステップＳ１０１）。その後、この端末サーチ信号に応答して、未登録のＰＤＡ２００からそのＰＤＡ２００を特定する端末コードが送信されてきたかどうかを判別し（ステップＳ１０２）、応答がない場合には、この端末チェック処理を終了する。
【００２３】
ここで、携帯表示端末装置としてのＰＤＡ２００は、図４の動作フローチャートに示すように動作している。なお、このフローチャートに記載した各機能を実現するプログラムは、コンピュータ本体２０１が読み取り可能なプログラムコードの形態で内部メモリ２０１Ａに記憶されている。
【００２４】
即ち、まず、当該ＰＤＡ２００が表示受信モードにあるかどうか判断する（ステップＳ２００）。一般に、ＰＤＡ１００は、パワーオンされると、まず通常の機能であるＰＩＭ機能（カレンダースケジュール、メモ、住所録、等）を実行するＰＩＭモードに設定されるため、ここでは、表示受信モードにないとして、他の処理を行い（ステップＳ２０１）、その後、上記ステップＳ２００に戻る。そして、このステップＳ２０１の他の処理において、図示しないＰＩＭ画面でのモード切り換えスイッチ表示に対応するタッチスイッチが操作されて、表示受信モードに設定されると、上記ステップＳ２００において表示受信モードであると判断され、この場合には、次に、データ処理装置としてのデスクＰＣ１００からの端末サーチ信号の有無を判別する（ステップＳ２０２）。
【００２５】
デスクＰＣ１００において、上記ステップＳ１０１で端末サーチ信号が送信されると、このステップＳ２０２において端末サーチ信号有と判断されるので、内部メモリ２０１Ａに記憶されている当該ＰＤＡ２００の端末コードを通信インタフェース２０６によりデスクＰＣ１００に送信する（ステップＳ２０３）。
【００２６】
デスクＰＣ１００では、上記ステップＳ１０２においてこの端末コードの受信有りと判別したときには、そのＰＤＡ２００に対して情報送信要求を通信インタフェース１０８より送信する（ステップＳ１０３）。
【００２７】
ＰＤＡ２００では、この情報送信要求を受信すると（ステップＳ２０４）、内部メモリ２０１Ａに記憶されている愛称、フラグ、及びウィンドウ名を通信インタフェース２０６によりデスクＰＣ１００に送信する（ステップＳ２０５）。
【００２８】
デスクＰＣ１００では、このＰＤＡ２００から送信されてきた愛称、フラグ、及びウィンドウ名を、先に受信した端末コードに対応付けて、端末管理テーブル１０６Ａに登録する（ステップＳ１０４）。そして、図５の（Ａ）の左上又は左下に示すように、愛称によるアイコン１０９（この図では、ＰＤＡ２００の愛称は「太郎」）を表示装置１０３の表示画面１０３Ａに表示する（ステップＳ１０５）。このとき、端末管理テーブル１０６Ａに登録された当該ＰＤＡ２００のフラグがオン（「１」）かオフ（「０」）かを判別し（ステップＳ１０６）、オフであれば図５の（Ａ）の左上に示すようにアイコン１０９を青色で表示し（ステップＳ１０７）、オンであれば図５の（Ａ）の左下に示すようにアイコン１０９を赤色（図ではハッチングにより示す）で表示した後（ステップＳ１０８）、上記ステップＳ１０１に戻る。
【００２９】
また、上記ステップＳ１００において、端末管理テーブル１０６ＡにＰＤＡ２００が既に登録されていると判断した場合には、その登録されているＰＤＡ２００に対して通信インタフェース１０８よりとのＰＤＡ２００を特定する端末コードと共にチェック信号を送信して（ステップＳ１０９）、ＯＫ応答がそのＰＤＡ２００から有るかどうか判断することにより（ステップＳ１１０）、登録されているＰＤＡ２００がまだ接続された状態に有るかどうか判別する。
【００３０】
ここで、ＰＤＡ２００では、表示受信モードにあるときには、デスクＰＣ１００から、サーチ信号（ステップＳ２０２）、情報送信要求（ステップＳ２０４）、ウィンドウ受信要求（ステップＳ２０６）、ウィンドウ送信要求（ステップＳ２０７）、及びチェック信号（ステップＳ２０８）の何れかが送信されてくるのを待っており、チェック信号を受信したときには（ステップＳ２０８）、そのチェック信号の端末コードが当該ＰＤＡ２００の端末コードに一致するかを内部メモリ２０１Ａを参照して判断する（ステップＳ２０９）。そして、一致しなければ上記ステップＳ２００に戻り、一致するときには、通信インタフェース２０６によりＯＫ応答をデスクＰＣ１００に送信して（ステップＳ２１０）、上記ステップＳ２００に戻る。
【００３１】
デスクＰＣ１００は、該当ＰＤＡ２００から、このＯＫ応答が有った場合には、次に、端末管理テーブル１０６Ａに更に別のＰＤＡの登録が有るかどうか判別する（ステップＳ１１１）。そして、まだ有れば上記ステップＳ１０９に戻り、無い場合には上記ステップＳ１０１に戻る。また、上記ＯＫ応答が無かったときには、該当ＰＤＡ２００にウィンドウを送信していたかどうか判別し（ステップＳ１１２）、送信していなかった場合には上記ステップＳ１１１に進み、送信していた場合には、その該当ＰＤＡ２００に送信してあったウインドウ内容を復活表示した後（ステップＳ１１３）、上記ステップＳ１１１に進む。
【００３２】
即ち、本実施の形態では、詳細は後述するが、図５の（Ａ）の左上に示すようにデスクＰＣ１００の表示画面１０３Ａに複数のウィンドウが開いている状態で、アクティブウィンドウ（この場合はウィンドウＡ）のタイトルバーに設けたコピーアイコン１１０を、マウスにより図中矢印で示すのようにＰＤＡ２００を示すアイコン１０９にドラッグアンドドロップ操作することで、そのウィンドウの内容が同図の右下に示すようにＰＤＡ２００に転送され、且つ、同図の左下に示すようにそのウィンドウの表示が消去されるので、そのＰＤＡ２００がデスクＰＣ１００近傍から離されたときには、その消去した表示を復活する必要がある。この場合、デスクＰＣ１００では、ウィンドウの内容そのもの即ちデータを消去するのではなく、表示を消去するだけであるので、簡単に復活表示することができる。
【００３３】
ここで、上記コピーアイコン１１０のアイコン１０９へのドラッグアンドドロップ操作に応じて当該ウィンドウの内容をＰＤＡ２００に転送する際のデスクＰＣ１００の処理を図６の（Ａ）の動作フローチャートに従って説明する。
【００３４】
即ち、上記ドラッグアンドドロップ操作が行われると、通信インタフェース１０８により、まず、そのドロップ先のアイコン１０９に対応するＰＤＡ２００へ、ウィンドウ受信要求を送信し（ステップＳ１２０）、更にドラッグ元のウィンドウの内容を送信する（ステップＳ１２１）。
【００３５】
このとき、転送されるウィンドウの内容は、例えばビットマップ形式の画像データとして転送する。即ち、転送先のＰＤＡ２００は単なる表示部として利用するものであり、ＰＤＡ２００側での該ウインドウ内容の変更修正、加工等は行わないものとする。よって、ＰＤＡ２００側では、そのウィンドウに対応するアプリケーションソフトを必要としない。しかしながら、対応するアプリケーションソフトのファイル形式のデータも同時に転送しておくものとしても良い。このようにすると、後述するように、ＰＤＡ２００を一種の記憶媒体として利用することも可能となる。
【００３６】
而して、ＰＤＡ２００側では、デスクＰＣ１００から上記ウィンドウ受信要求を受けると（ステップＳ２０６）、その後に送信されてくる上記ウィンドウの内容を受信して、内部メモリ２０１Ａに記憶する（ステップＳ２１１）。そして、図５の（Ａ）の右下に示すように、そのウィンドウ内容を表示画面２０２Ａに表示し（ステップＳ２１２）、内部メモリ２０１Ａに設けたフラグをＯＮした後（ステップＳ２１３）、上記ステップＳ２０７に進む。なお、特にフローチャートには示していないが、こうして転送され表示されたウィンドウ内容は、表示画面２０２Ａ上に配されたタッチパネルを、例えば上方から下方へ、逆に下方から上方へと、なぞることで、スクロール表示可能とすることが好ましい。
【００３７】
また、複数のウィンドウ内容を転送可能とし、図５の（Ｂ）に示すように、転送済みのウィンドウのリストを表示画面下方にバー表示して、その部分をタッチ操作することで、所望のウィンドウ内容の表示に切り換えられるようにしても良い。
【００３８】
このようにＰＤＡ２００へウィンドウ内容を送信した後、デスクＰＣ１００は、端末管理テーブル１０６Ａに、その送信したウィンドウの名称を記録すると共に、フラグをＯＮする（ステップＳ１２２）。そして、図５の（Ａ）の左下に示すように、該当ウィンドウの表示を消去する共に（ステップＳ１２３）、転送先のＰＤＡ２００に対応するアイコン１０９にウィンドウ名を表示する（ステップＳ１２４）。このとき、そのアイコン１０９が青色であれば（ステップＳ１２５）、赤色に表示色を変更することで、対応するＰＤＡ２００にウィンドウ内容が表示されていることを識別表示する（ステップＳ１２６）。
【００３９】
次に、こうしてＰＤＡ２００に表示されているウィンドウ内容を、デスクＰＣ１００側で復活表示する場合を説明する。即ち、図５の（Ｃ）の上方に示すように、「太郎」という愛称の付されたＰＤＡ２００にウィンドウＡの内容が表示されているとき、所定のアイコン表示指示操作を行うと、同図の下方に示すように、デスクＰＣ１００の表示画面１０３Ａでは、そのウィンドウＡの内容が復活表示され、該当ＰＤＡ２００を示すアイコン１０９の表示色が赤色から青色に変更される。ここで、上記所定のアイコン表示指示操作としては、例えば、アイコン１０９上でマウスカーソルを螺旋移動させるジェスチャー等が考えられる。
【００４０】
このような所定のアイコン表示指示操作がなされたとき、デスクＰＣ１００のＣＰＵ１０１は、図６の（Ｂ）に示すように、まず、端末管理テーブル１０６Ａから当該アイコン１０９に相当するＰＤＡ２００の端末コードに対応するフラグの状態を判別し（ステップＳ１３０）、フラグがＯＮでない場合には、このアイコン表示処理の動作を終了する。
【００４１】
これに対して、フラグがＯＮであれば、該当ウィンドウの内容が当該デスクＰＣ１００の記憶装置１０５（記憶媒体１０７）又はＲＡＭ１０６に保存されているかどうか判断し（ステップＳ１３１）、保存されていれば、対応するアプリケーションソフトを起動して、該当ウインドウの内容を復活表示する（ステップＳ１３２）。そして、端末管理テーブル１０６Ａの上記フラグを「０」にすると共にウィンドウ名を消去する（ステップＳ１３３）。また、対応するアイコン１０９を、青色表示し、該アイコン１０９に表示されていたウィンドウ名を消去する（ステップＳ１３４）。
【００４２】
一方、該当ウィンドウの内容が当該デスクＰＣ１００に保存されていない場合には、該当ウィンドウの内容の送信要求を対応するＰＤＡ２００に送信する（ステップＳ１３５）。
【００４３】
ＰＤＡ２００では、このウィンドウ送信要求を受けると（ステップＳ２０７）、内部メモリ２０１Ａに記憶しているウィンドウの内容を要求のあったデスクＰＣ１００に送信する（ステップＳ２１４）。そして、記憶してあるウィンドウ内容を消去し（ステップＳ２１５）、同様に、記憶してあるフラグ及びウィンドウ名も消去して（ステップＳ２１６）、上記ステップＳ２０８に進む。なお、このようなウィンドウ内容、フラグ及びウィンドウ名の消去は、必ずしも行わなくても良いことは勿論である。
【００４４】
而して、デスクＰＣ１００は、こうしてＰＤＡ２００から送信されてきたウィンドウ内容を受信して記憶装置１０５（記憶媒体１０７）又はＲＡＭ１０６に記憶し（ステップＳ１３６）、それをウィンドウ表示した後（ステップＳ１３７）、上記ステップＳ１３３に進む。このウィンドウ表示を行う際、ＰＤＡ２００に画像データの形式でウィンドウ内容を転送すると共に実データも転送してあった場合には、対応するアプリケーションソフトを起動して表示することになるので、さらに加工が可能となる。即ち、ＰＤＡ２００を一種の記憶媒体として利用できる。
【００４５】
以上、ＰＤＡ２００が一つの場合を例に説明したが、これは複数であっても良いことは勿論である。
例えば、図７の（Ａ）に示すように、デスクＰＣ１００にウィンドウＢ，Ｃが表示され、愛称「太郎」のＰＤＡ２００−１にウィンドウＡの内容が表示されている状態で、愛称「三郎」のＰＤＡ２００−３をデスクＰＣ１００に近づけると、前述した定期的な端末チェック動作により、同図の（Ｂ）に示すように、デスクＰＣ１００の表示画面１０３Ａに、「三郎」の愛称の青色アイコン１０９−３が表示される。ここで、ウィンドウＢのコピーアイコン１１０を上記アイコン１０９−３にドラッグアンドドロップすると、同図の（Ｃ）に示すように、ＰＤＡ２００−３にそのウィンドウＢの内容が表示されると共に、デスクＰＣ１００の表示画面１０３Ａから当該ウィンドウＢが表示消去される。また、アイコン１０９−３については、表示色が赤色に変更され、ウインドウ名が表示される。そして、ここで「太郎」の愛称を付されたＰＤＡ２００−１を該デスクＰＣ１００近傍から離すと、同図の（Ｄ）に示すように、そのＰＤＡ２００−１に表示していたウィンドウＡの内容が復活表示され、また当該ＰＤＡ２００−１を示すアイコン１０９−１が表示消去される。
【００４６】
（第２の実施の形態）
次に、本発明の第２の実施の形態を説明する。
上記第１の実施の形態は、ユーザの指示によりＰＤＡ２００にウィンドウを表示したり、デスクＰＣ１００側でウィンドウを復活表示するという例であったが、本実施の形態は、そのような動作をユーザの指示によらないでＰＤＡ２００がデスクＰＣ１００に近づく／離れるに応じて自動的に行うというものである。
【００４７】
図８はその場合のデスクＰＣ１００のＣＰＵ１０１で定期的に実行される端末チェック処理の動作フローチャートであり、図９の（Ａ）乃至（Ｅ）はその場合のデスクＰＣ１００及びＰＤＡ２００の表示遷移を示す図である。なお、この場合のＰＤＡ２００側の処理は、上記第１の実施の形態で説明した図４の動作フローチャートと同様にして行われるので、その説明は省略する。
【００４８】
即ち、デスクＰＣ１００のＣＰＵ１０１は、端末サーチ信号を送信し（ステップＳ１４０）、応答が無ければ（ステップＳ１４１）、この端末チェック処理を終了する。
【００４９】
これに対して、ＰＤＡ２００が該デスクＰＣ１００近傍に配置されていたときには、そのＰＤＡ２００から応答信号が有るので、この場合には、そのＰＤＡ２００へ情報送信要求を送信して（ステップＳ１４２）、それに応答してＰＤＡ２００から送信されてくる情報を受信して端末管理テーブル１０６Ａに記憶する（ステップＳ１４３）。そして、フラグの状態を調べ、フラグがＯＮでないときには（ステップＳ１４４）、そのＰＤＡ２００を示すアイコンを青色で表示すると共に、愛称を表示する（ステップＳ１４５）。例えば、図９の（Ａ）に示すように、デスクＰＣ１００の表示画面に２つのウィンドウＡ，Ｂが重ねて表示されているとき、「三郎」という愛称の付けられたＰＤＡ２００−３を近づけると、同図の（Ｂ）に示すように、アイコン１０９−３が青色表示され、愛称「三郎」が表示される。
【００５０】
ＣＰＵ１０１は、ここで、ウィンドウが複数開かれているかどうか判断し（ステップＳ１４６）、一つしかウィンドウが無い場合には該端末チェック処理を終了する。これに対して、図９の（Ｂ）に示すように複数のウィンドウが有る場合には、ＰＤＡ２００にウィンドウ受信要求を送信した後（ステップＳ１４７）、アクティブでない即ち全体を見ることができないバックウィンドウ「この場合はウィンドウＢ）の内容をＰＤＡ２００に送信する（ステップＳ１４８）。そして、その送信したウィンドウの名称を端末管理テーブル１０６Ａに登録してフラグをＯＮにする（ステップＳ１４９）。その後、図９の（Ｃ）に示すように、該当ウィンドウを消去表示して（ステップＳ１５０）、アイコン１０９を赤表示に変更し（ステップと１５１）、この端末チェック処理を終了する。即ち、アクティブでないウィンドウは表示画面１０３Ａ上では見ることができないのであるから、自動的にＰＤＡ２００側に転送して表示するようにしている。
【００５１】
一方、上記ステップＳ１４４において、フラグがＯＮしていると判断された場合には、そのＰＤＡ２００へウィンドウの内容の送信要求を送信し（ステップＳ１５２）、それに応答して送信されてきたウィンドウ内容を受信して記憶する（ステップＳ１５３）。そして、既に表示画面１０３Ａにウィンドウを表示しているかどうか判断し（ステップＳ１３４）、ウィンドウ表示が無ければ主ウィンドウ（アクティブウィンドウ）として上記記憶したウィンドウ内容を表示し（ステップＳ１５５）、またウィンドウ表示が有る場合にはバックウィンドウとして上記記憶したウィンドウ内容を表示して（ステップＳ１５６）、該端末チェック処理を終了する。
【００５２】
即ち、図９の（Ａ）に示すような状態において、当該デスクＰＣ１００に保存されていないウィンドウ内容を記憶しているＰＤＡ２００を近づけた場合には、上記第１の実施の形態では、同図の（Ｄ）に示すように、その近づけたＰＤＡ（愛称「四郎」の付けられたＰＤＡ２００−４）を示すアイコン１０９−４が赤色表示されるものであるが、本実施の形態では、このような表示状態を経ないで、同図の（Ｅ）に示すような、「四郎」という愛称のＰＤＡ２００−４のウィンドウ（ウィンドウＤ）の内容が表示され、アイコン１０９−４は青色表示される。なお、当該デスクＰＣ１００に保存されているウィンドウ内容を記憶しているＰＤＡ２００を近づけた場合については、特にフローチャートを用いて説明しないが、上記第１の実施の形態と同様に、デスクＰＣ１００側で記憶しているウィンドウ内容を復活表示すれば良いことは勿論である。また、上記ステップＳ１５２乃至ステップＳ１５４の処理を行っている間、図９の（Ｄ）に示すような表示を行うものとしても良い。
【００５３】
なお、上記第１及び第２の実施の形態では、携帯表示端末装置としてＰＤＡを例に説明したが、データＰＨＳと称されるデータ処理機能付ＰＨＳや、小型のノートＰＣであっても良いことは勿論である。また、データ処理装置についても、実施の形態で説明したようなデスクＰＣに限らず、ノートＰＣであっても良い。その他、本発明の要旨を逸脱しない範囲で、種々の変形変更が可能なことは勿論である。
【００５４】
また、アイコン１０９を青色／赤色表示することで、ＰＤＡ２００でのウィンドウ内容の表示の有無を示すようにしているが、両状態を識別可能であれば、どのような表示であってもかまわない。
【００５５】
【発明の効果】
本発明によれば、主表示装置においてアクティブ状態でないウインドウが開かれていれば、携帯表示端末を近傍位置に置くだけで、そのアクティブでないウインドウの内容をその携帯表示端末で見ることができる。
【図面の簡単な説明】
【図１】（Ａ）は本発明の第１の実施の形態にかかるデータ処理装置としてのデスクＰＣ及び携帯表示端末装置としてのＰＤＡを示す斜視図であり、（Ｂ）及び（Ｃ）はそれぞれ上記デスクＰＣ及びＰＤＡのブロック構成図である。
【図２】（Ａ）はデスクＰＣに記憶される端末管理テーブルの記憶構成を示す図であり、（Ｂ）はＰＤＡの内部メモリの記憶構成を示す図である。
【図３】デスクＰＣで実行される端末チッぇク処理の動作フローチャートである。
【図４】ＰＤＡの動作フローチャートである。
【図５】（Ａ）はデスクＰＣでのウィンドウドロップ操作によるＰＤＡ及びデスクＰＣの表示遷移図、（Ｂ）は複数ウィンドウが転送された場合のＰＤＡの表示状態を示す図であり、（Ｃ）はデスクＰＣでのアイコン表示指示操作によるＰＤＡ及びデスクＰＣの表示遷移図である。
【図６】（Ａ）及び（Ｂ）はそれぞれＰＤＡで実行されるウィンドウドロップ操作処理及びアイコン表示指示処理の動作フローチャートである。
【図７】（Ａ）乃至（Ｄ）は、複数ＰＤＡの場合における表示の遷移を示すための図である。
【図８】第２の実施の形態におけるデータ処理装置としてのデスクＰＣで実行される端末チェック処理の動作フローチャートである。
【図９】（Ａ）乃至（Ｅ）は、第２の実施の形態における端末チェック処理での表示の遷移を示すための図である。
【符号の説明】
１００  デスクＰＣ
１０１  ＣＰＵ
１０２  入力装置
１０３  表示装置
１０５  記憶装置
１０６  ＲＡＭ
１０６Ａ  端末管理テーブル
１０７  記憶媒体
１０８  通信インタフェース
２００，２００−１，２００−３，２００−４  ＰＤＡ
２０１  コンピュータ本体
２０１Ａ  内部メモリ
２０２  表示部
２０３  タッチパネル
２０６  通信インターフェース
【図１】
0003807104.tif 000002
【図２】
0003807104.tif 000003
【図３】
0003807104.tif 000004
【図４】
0003807104.tif 000005
【図５】
0003807104.tif 000006
【図６】
0003807104.tif 000007
【図７】
0003807104.tif 000008
【図８】
0003807104.tif 000009
【図９】
0003807104.tif 000010